(57)【要約】【課題】ダイヤルの回転によってより容易に化粧料の吐出を調節することができる化粧品容器を提供する。【解決手段】本発明の一実施例によって、化粧品容器が提供される。前記容器は、使用者から回転力が印加されるダイヤルと、下側に化粧料を収容し、上側に前記ダイヤルが相対回転可能に備えられる容器部と、前記容器部の内側に配置され、前記容器部に対する前記ダイヤルの相対回転によって昇降するピストンアームと、前記容器部の内壁に密着するように配置され、前記ピストンアームの下部に結合して前記ピストンアームとともに昇降するピストンと、前記容器部の内側に配置され、前記容器部の長手方向に内部に前記化粧料が移送される移送流路が形成される移送管とを含み、前記ダイヤルの前記相対回転によって前記ピストンアーム及び前記ピストンが下降して前記化粧料を押圧すれば、前記化粧料が前記移送管の下部に流入し、前記移送流路を通じて排出される。【選択図】図２
2020069367.tif 000002
【特許請求の範囲】
【請求項１】
化粧品容器であって、
使用者から回転力が印加されるダイヤルと、
下側に化粧料を収容し、上側に前記ダイヤルが相対回転可能に備えられる容器部と、
前記容器部の内側に配置され、前記容器部に対する前記ダイヤルの相対回転によって昇降するピストンアームと、
前記容器部の内壁に密着するように配置され、前記ピストンアームの下部に結合して前記ピストンアームとともに昇降するピストンと、
前記容器部の内側に配置され、前記容器部の長手方向に内部に前記化粧料が移送される移送流路が形成される移送管とを含み、
前記ダイヤルの前記相対回転によって前記ピストンアーム及び前記ピストンが下降して前記化粧料を押圧すれば、前記化粧料が前記移送管の下部に流入し、前記移送流路を通じて排出される、化粧品容器。
【請求項２】
前記移送管の一領域には非円形（ｎｏｎ−ｃｉｒｃｕｌａｒ）の断面を有する昇降ガイド部が形成され、前記ピストンアームの内側には前記昇降ガイド部に対応する貫通部が形成され、
前記昇降ガイド部が前記貫通部に挿入されることにより、前記ダイヤルの前記相対回転時、前記ピストンアームの回転を防止しながら前記ピストンアームの昇降をガイドする昇降ガイド部が形成される、請求項１に記載の化粧品容器。
【請求項３】
前記ダイヤルの内周面と前記ピストンアームの外周面には互いに対応するネジ部が形成され、前記ダイヤルと前記ピストンアームが互いに螺合する、請求項１に記載の化粧品容器。
【請求項４】
前記容器部の上部には長手方向に少なくとも一つの開放部が貫設され、前記ダイヤルは前記開放部が形成された前記容器部の上部内側に配置され、前記ダイヤルの少なくとも一部が外部に露出される、請求項１に記載の化粧品容器。
【請求項５】
円周方向に突出して前記容器部の上端面にかかる係止段、及び前記係止段の底面の一領域から下側に伸びて前記容器部の上端内側に密着状態で結合する結合部が形成され、内側に前記移送管の少なくとも一部が挿入されて配置される連結部をさらに含む、請求項４に記載の化粧品容器。
【請求項６】
前記ダイヤルの下部外周面には円周方向に第１段差部が形成され、前記容器部の上部内周面には前記第１段差部に対応する第２段差部が形成され、前記第１段差部が前記第２段差部にかかることにより、前記ダイヤルが前記容器部の内側上部に配置される、請求項５に記載の化粧品容器。
【請求項７】
前記ダイヤルの上端は前記結合部の底面によって支持され、前記ダイヤルの下端は前記容器部の第２段差部によって支持されることによって前記ダイヤルの昇降を防止する、請求項６に記載の化粧品容器。
【請求項８】
前記容器部の内周面にはガイド溝が形成され、前記ダイヤルの下端部の外周面には内側に屈曲可能な少なくとも一つの弾性片が形成され、前記弾性片の一領域には前記ガイド溝に対応するガイド突条が外側方向に突設され、
前記ガイド溝及び前記ガイド突条は前記ダイヤルの回転方向によって接触する傾斜面及び弾性が違うように形成されることによって前記ダイヤルの順方向回転をガイドするとともに逆方向回転を防止する、請求項１に記載の化粧品容器。
【請求項９】
前記ガイド溝には互いに反対方向に第１傾斜面及び第２傾斜面形成され、前記ガイド突条には互いに反対方向に第３傾斜面及び第４傾斜面形成され、前記第１傾斜面及び第３傾斜面のそれぞれは前記第２傾斜面及び第４傾斜面より緩やかな傾斜を有する、請求項８に記載の化粧品容器。
【請求項１０】
前記ダイヤルに前記順方向の回転が印加されれば、前記第１傾斜面と前記第３傾斜面が互いに接触して前記弾性片が内側に屈曲されて前記ダイヤルの前記順方向回転が行われ、
前記ダイヤルに前記逆方向の回転が印加されれば、前記第２傾斜面と前記第４傾斜面が互いに接触して前記逆方向回転が防止される、請求項９に記載の化粧品容器。
【請求項１１】
前記連結部及び前記移送管とそれぞれ結合し、前記化粧料が吐き出される吐出路が形成された吐出ヘッド、及び前記吐出ヘッドに前記化粧料が流入する連通孔を開閉する吐出調節部を含む吐出部をさらに含む、請求項５に記載の化粧品容器。
【請求項１２】
前記吐出調節部は、前記吐出ヘッドの内側底面によって支持されて下側に弾性力を発揮する弾性部材、及び前記弾性部材によって下方に押圧されて前記連通孔を密閉する開閉部材を含み、
前記ダイヤルの回転による前記化粧料の排出圧力によって前記開閉部材が前記連通孔を開放する、請求項１１に記載の化粧品容器。
【請求項１３】
少なくとも一部が前記吐出ヘッドの上側に収容され、前記吐出路を通じて吐き出された化粧料を皮膚に塗布するための塗布部をさらに含む、請求項１１に記載の化粧品容器。
【発明の詳細な説明】
【技術分野】
【０００１】
本発明は化粧品容器に関し、より詳しくはダイヤルの回転によってより容易に化粧料の吐出を調節することができる化粧品容器に関する。
【背景技術】
【０００２】
一般に、化粧品は固状及び粉末状又は液状に大別され、化粧品の形態によって多様な容器が使われる。最近では、ファウンデーション又はリップスティックのような化粧品が粉末状又は固状ではないゲル（ｇｅｌ）状又は液状で供給されている。従来では、このような液状の化粧品を収容するためにチューブ容器又はポンプ式容器が多く使われた。
【０００３】
このようなチューブ容器又はポンプ式容器は、化粧料を排出するために、チューブを絞ったりポンプを押し付ける場合、化粧料が所望の量だけ排出されるように調節することが容易でなく、容器内に残った化粧料をすべて使うことが容易ではなく不便な点があった。
【０００４】
これを解消するために、回転吐出型化粧品容器が開発されて使われている。これは、使用者が容器を回転させることで、ピストンが上昇又は下降することによって収容された化粧料を押圧して排出することができる。ただ、従来の回転吐出型化粧品は、使用者が回転操作を行う場合、ピストンがどのくらい動いたかを見積もりやすくなくて、化粧料が所望の量だけ排出されるように調節しにくい点がある。
【０００５】
また、従来の回転吐出型化粧品は、一般的に回転操作部が容器の下端に位置し、使用者が化粧料を吐き出すためには、一手では容器の胴体部を把持し、他の手で回転操作部を回転させなければならないので、一手で手鏡を持った状態では化粧品を使うのに不便な点があった。
【０００６】
したがって、このような問題を解決することができる化粧品容器が要求される。
【発明の概要】
【発明が解決しようとする課題】
【０００７】
本発明は前記問題点を解決するためのもので、ダイヤルの回転によってより容易に化粧料の吐出を調節することができる化粧品容器を提供することをその目的とする。
【０００８】
本発明の技術的課題は以上で言及した技術的課題に制限されることなく、言及していない他の技術的課題は下記の記載から当業者に明らかに理解可能であろう。
【課題を解決するための手段】
【０００９】
本発明の一実施例によって、化粧品容器が提供される。前記容器は、使用者から回転力が印加されるダイヤルと、下側に化粧料を収容し、上側に前記ダイヤルが相対回転可能に備えられる容器部と、前記容器部の内側に配置され、前記容器部に対する前記ダイヤルの相対回転によって昇降するピストンアームと、前記容器部の内壁に密着するように配置され、前記ピストンアームの下部に結合して前記ピストンアームとともに昇降するピストンと、前記容器部の内側に配置され、前記容器部の長手方向に内部に前記化粧料が移送される移送流路が形成される移送管とを含み、前記ダイヤルの前記相対回転によって前記ピストンアーム及び前記ピストンが下降して前記化粧料を押圧すれば、前記化粧料が前記移送管の下部に流入し、前記移送流路を通じて排出される。
【００１０】
好ましくは、前記移送管の一領域には非円形（ｎｏｎ−ｃｉｒｃｕｌａｒ）の断面を有する昇降ガイド部が形成され、前記ピストンアームの内側には前記昇降ガイド部に対応する貫通部が形成され、前記昇降ガイド部が前記貫通部に挿入されることにより、前記ダイヤルの前記相対回転時、前記ピストンアームの回転を防止しながら前記ピストンアームの昇降をガイドする昇降ガイド部が形成されることができる。
【００１１】
また、好ましくは、前記ダイヤルの内周面と前記ピストンアームの外周面には互いに対応するネジ部が形成され、前記ダイヤルと前記ピストンアームが互いに螺合することができる。
【００１２】
また、好ましくは、前記容器部の上部には長手方向に少なくとも一つの開放部が貫設され、前記ダイヤルは前記開放部が形成された前記容器部の上部内側に配置され、前記ダイヤルの少なくとも一部が外部に露出されることができる。
【００１３】
また、好ましくは、円周方向に突出して前記容器部の上端面にかかる係止段、及び前記係止段の底面の一領域から下側に伸びて前記容器部の上端内側に密着状態で結合する結合部が形成され、内側に前記移送管の少なくとも一部が挿入されて配置される連結部をさらに含むことができる。
【００１４】
また、好ましくは、前記ダイヤルの下部外周面には円周方向に第１段差部が形成され、前記容器部の上部内周面には前記第１段差部に対応する第２段差部が形成され、前記第１段差部が前記第２段差部にかかることにより、前記ダイヤルが前記容器部の内側上部に配置されることができる。
【００１５】
また、好ましくは、前記ダイヤルの上端は前記結合部の底面によって支持され、前記ダイヤルの下端は前記容器部の第２段差部によって支持されることによって前記ダイヤルの昇降を防止することができる。
【００１６】
また、好ましくは、前記容器部の内周面にはガイド溝が形成され、前記ダイヤルの下端部の外周面には内側に屈曲可能な少なくとも一つの弾性片が形成され、前記弾性片の一領域には前記ガイド溝に対応するガイド突条が外側方向に突設され、前記ガイド溝及び前記ガイド突条は前記ダイヤルの回転方向によって接触する傾斜面及び弾性が違うように形成されることによって前記ダイヤルの順方向回転をガイドするとともに逆方向回転を防止することができる。
【００１７】
また、好ましくは、前記ガイド溝には互いに反対方向に第１傾斜面及び第２傾斜面形成され、前記ガイド突条には互いに反対方向に第３傾斜面及び第４傾斜面形成され、前記第１傾斜面及び第３傾斜面のそれぞれは前記第２傾斜面及び第４傾斜面より緩やかな傾斜を有することができる。
【００１８】
また、好ましくは、前記ダイヤルに前記順方向の回転が印加されれば、前記第１傾斜面と前記第３傾斜面が互いに接触して前記弾性片が内側に屈曲されて前記ダイヤルの前記順方向回転が行われ、前記ダイヤルに前記逆方向の回転が印加されれば、前記第２傾斜面と前記第４傾斜面が互いに接触して前記逆方向回転が防止されることができる。
【００１９】
また、好ましくは、前記連結部及び前記移送管とそれぞれ結合し、前記化粧料が吐き出される吐出路が形成された吐出ヘッド、及び前記吐出ヘッドに前記化粧料が流入する連通孔を開閉する吐出調節部を含む吐出部をさらに含むことができる。
【００２０】
また、好ましくは、前記吐出調節部は、前記吐出ヘッドの内側底面によって支持されて下側に弾性力を発揮する弾性部材、及び前記弾性部材によって下方に押圧されて前記連通孔を密閉する開閉部材を含み、前記ダイヤルの回転による前記化粧料の排出圧力によって前記開閉部材が前記連通孔を開放することができる。
【００２１】
また、好ましくは、少なくとも一部が前記吐出ヘッドの上側に収容され、前記吐出路を通じて吐き出された化粧料を皮膚に塗布するための塗布部をさらに含むことができる。
【発明の効果】
【００２２】
本発明によれば、ダイヤルを回転させれば、ピストンが下降しながら容器内の化粧料を押圧して吐き出すことにより、回転操作によって化粧料の吐出及び吐出量調節を細密で容易に行うことができ、ピストンが容器の内壁に密着したままで下降するので、容器内の化粧料を残さずに使うことができる。
【００２３】
また、本発明によれば、ダイヤルが化粧品容器の上側に配置されることにより、両手で化粧品容器を操作する必要がなく、一手で化粧品容器を把持した状態で指でダイヤルを回転させて化粧料を吐き出すことによって操作の便宜性を改善することができる。
【００２４】
また、本発明によれば、ダイヤルが一方向にだけ回転可能に構成されて操作が容易であり、回転負荷及び特定の音が発生するように構成されているので、使用者が回転程度（すなわち、ピストンの下降程度）を把握することが容易であるという利点がある。
【００２５】
また、本発明によれば、ピストンの回転及び垂直移動のために必要な構成が逆方向回転を防止する機能まで果たすため、回転方向を規制するための別途の構成を含まないので、構成部品の簡素化によって容器の製造時に経済的な効果を得ることができる。
【００２６】
また、本発明によれば、密閉部材を含む吐出調節部を含むことにより、化粧品容器の保管中に内部の化粧料が漏出することを防止することができ、回転操作とともに化粧料の吐出量調節をより容易に行うことができる。
【００２７】
また、本発明によれば、塗布部にマッサージボールを備えることにより、マッサージボールを用いて化粧料を皮膚に塗布することができる。
【００２８】
本発明の詳細な説明で引用される図面をより充分に理解するために各図の簡単な説明を提供する。
【図面の簡単な説明】
【００２９】
【図１】本発明の一実施例による化粧品容器の斜視図である。
【図２】本発明の一実施例による化粧品容器の分解図である。
【図３】本発明の一実施例による化粧品容器の断面図である。
【図４】本発明の一実施例による化粧品容器のダイヤルを示す図である。
【図５】本発明の一実施例による化粧品容器の容器部を示す図である。
【図６】本発明の一実施例による化粧品容器のピストンアームを示す図である。
【図７】本発明の一実施例による化粧品容器の移送管を示す図である。
【図８】本発明の一実施例による化粧品容器の連結部を示す図である。
【図９】本発明の一実施例による化粧品容器の吐出部及び塗布部を示す図である。
【図１０】本発明の一実施例による化粧品容器の動作を示す図である。
【図１１】本発明の一実施例による化粧品容器を示す図である。
【発明を実施するための形態】
【００３０】
以下、本発明による実施例を添付図面に基づいて説明する。各図の構成要素に参照符号を付け加えるにあたり、同じ構成要素に対しては、たとえ相異なる図に表示されていても、できるだけ同じ符号を付けることに留意しなければならない。また、本発明の実施例の説明において、関連した公知の構成又は機能についての具体的な説明が本発明の実施例の理解を妨げると判断される場合にはその詳細な説明は省略する。また、以下で本発明の実施例を説明するが、本発明の技術的思想はこれに限定または制限されることなしに当業者によって変形されて多様に実施可能である。一方、以下で記載する上下左右の方向は図面に基づいて決定したものであり、該当方向に本発明の権利範囲が必ずしも限定されるものではない。
【００３１】
明細書全般にわたり、ある部分が他の部分と“連結”されていると言うとき、これは“直接的に連結”されている場合だけではなく、その中間に他の素子を挟んで“間接的に連結”されている場合も含む。明細書全般にわたり、ある部分がある構成要素を“含む”と言うとき、これは、特に反対の記載がない限り、他の構成要素を排除するものではなく、他の構成要素をさらに含むことができることを意味する。また、本発明の実施例の構成要素の説明で、第１、第２、Ａ、Ｂ、（ａ）、（ｂ）などの用語を使うことができる。このような用語はその構成要素を他の構成要素と区別するためのものであるだけ、その用語によって該当構成要素の本質又は順番又は手順などが限定されない。
【００３２】
図１は本発明の一実施例による化粧品容器の斜視図、図２は本発明の一実施例による化粧品容器の分解図、図３は本発明の一実施例による化粧品容器の断面図、図４は本発明の一実施例による化粧品容器のダイヤルを示す図、図５は本発明の一実施例による化粧品容器の容器部を示す図、図６は本発明の一実施例による化粧品容器のピストンアームを示す図、図７は本発明の一実施例による化粧品容器の移送管を示す図、図８は本発明の一実施例による化粧品容器の連結部を示す図、図９は本発明の一実施例による化粧品容器の吐出部及び塗布部を示す図である。
【００３３】
ここで、図５の（ａ）は容器部の斜視図、図５の（ｂ）は容器部の平面図、図６の（ａ）はピストンアームの斜視図、図６の（ｂ）はピストンアームの平面図、図７の（ａ）は移送管の斜視図、図７の（ｂ）は移送管の断面図、図８の（ａ）は連結部の斜視図、図８の（ｂ）は連結部の平面図である。
【００３４】
図１〜図８を参照すると、化粧品容器１０００は、ダイヤル１００、容器部２００、ピストンアーム３００、ピストン４００、移送管５００、連結部６００、吐出部７００、塗布部８００及びカバー部９００を含むことができる。
【００３５】
ダイヤル１００は容器部２００の上側に備えられ、使用者から回転力を受けて容器部２００を基準に相対回転することができる。具体的に、ダイヤル１００の下部の外周面には円周方向に第１段差部１１０が形成され、これに対応して、容器部２００の上部の内周面には第２段差部２２０が形成され、ダイヤル１００の第１段差部１１０が容器部２００の第２段差部２２０に支持されることができる。これにより、ダイヤル１００が容器部２００の上部内側に配置されることができる。
【００３６】
また、ダイヤル１００は容器部２００の上部内側に配置され、容器部２００に形成された開放部２１０を通じてダイヤル１００の少なくとも一部が外部に露出されることができる。すなわち、使用者は一手で容器部２００の下端を把持した状態でダイヤル１００を回転させることができ、これにより、容器部２００に収容された化粧料が吐出部７００を通じて排出されることができる。
【００３７】
特に、ダイヤル１００が容器部２００の外部で容器部２００と結合するものではなく、容器部２００の内部に配置された状態で回転するという点で、ダイヤル１００の安定的な相対回転が可能である。
【００３８】
一方、ダイヤル１００の下端部内周面の少なくとも一部には第１ネジ部が形成されることができ、ダイヤル１００の下端部内側に挿入されるピストンアーム３００の外周面の少なくとも一部にも第１ネジ部に対応する第２ネジ部が形成されることができる。これにより、ダイヤル１００とピストンアーム３００が螺合することにより、ダイヤル１００の回転によってピストンアーム３００が昇降することができる。これについては後で詳細に説明する。
【００３９】
容器部２００は内部に化粧料を収容することができる。ここで、化粧料は美容などの目的で使用者の皮膚に塗布及び／又は吸収できるもので、好ましくは液状化粧料であるが、これに限定されるものではない。
【００４０】
また、容器部２００はダイヤル１００の回転基準として機能するものであり、上側にダイヤル１００が相対回転可能に備えられることができる。具体的に、容器部２００の上部内側にダイヤル１００が相対回転可能に配置され、開放部２１０を通じてダイヤル１００の少なくとも一部が外部に露出されるようにして、使用者の回転力が容器部２００の内側に配置されるダイヤル１００に伝達されるようにすることができる。ここで、開放部２１０は容器部２００の上部の少なくとも一部領域が容器部２００の長手方向に貫通されることによって形成されることができ、少なくとも一つからなることができる。
【００４１】
一方、ダイヤル１００は容器部２００に対して回転可能に配置され、ダイヤル１００と容器部２００は互いに連動してダイヤル１００の回転方向をガイドすることができる。具体的に、ダイヤル１００が順方向にだけ回転するようにすることができ、これによってピストンアーム３００及びピストン４００が下降することができる。すなわち、ダイヤル１００の逆方向回転を防止することにより、ピストンアーム３００及びピストン４００が上昇することを防止することができる。
【００４２】
このために、容器部２００の内周面には少なくとも一つのガイド溝２３０が円周方向に連続的に形成されることができる。ガイド溝２３０は第２段差部２２０から容器部２００の長手方向に連続して形成されることができ、それぞれ第１傾斜面２３２と第２傾斜面２３４を有することができる。これに対応し、ダイヤル１００の下端部外周面には内側方向に屈曲可能な少なくとも一つの弾性片１２０が形成されることができる。それぞれの弾性片１２０の一領域には、ガイド溝２３０に対応して長手方向にガイド突条１３０が突設されることができ、各ガイド突条１３０は第３傾斜面１３２と第４傾斜面１３４を有することができる。
【００４３】
ガイド溝２３０において、第１傾斜面２３２及び第２傾斜面２３４は互いに反対方向に形成され、互いに異なる傾斜を有し得る。例えば、第１傾斜面２３２は第２傾斜面２３４より緩やかな傾斜を有し得る。同様に、第３傾斜面１３２及び第４傾斜面１３４は互いに反対方向に形成され、互いに異なる傾斜を有し得る。例えば、第３傾斜面１３２は第４傾斜面１３４より緩やかな傾斜を有し得る。好ましくは、第２傾斜面２３４及び第４傾斜面１３４はそれぞれ容器部２００の内周面とダイヤル１００の外周面に対して垂直に形成されることができる。ここで、傾斜面の傾斜は円周の接線に近ければ緩いと定義し、これと違い、円周の法線に近ければ急であると定義することができる。
【００４４】
一方、ダイヤル１００の弾性片１２０はダイヤル１００の下端部の少なくとも一部領域を切開することにより、ダイヤル１００の内側に屈曲可能に形成されることができる。図４では、弾性片１２０の上端はダイヤル１００と一体を成し、弾性片１２０の左側、右側及び下端が切開されて貫通されることにより、弾性片１２０がダイヤル１００の長手方向に形成されたものとして示されているが、これは例示的なものであり、本発明が適用される実施例によって、多様な構成が適用可能である。例えば、弾性片１２０の右側がダイヤル１００と一体を成し、上端、下端及び左側が切開されて貫通されるとか、これと違い、弾性片１２０の左側がダイヤル１００と一体を成し、上端、下端及び右側が切開されて貫通されることにより、弾性片１２０がダイヤル１００の円周方向に形成されることができる。
【００４５】
ダイヤル１００が容器部２００の上部内側に配置されれば、ダイヤル１００のガイド突条１３０は容器部２００のガイド溝２３０に挿入されることができる。この状態で、ダイヤル１００が順方向に回転する場合、弾性片１２０の第３傾斜面１３２は同様に緩やかな傾斜を有する容器部２００の第１傾斜面２３２と接することになり、第１傾斜面２３２と第３傾斜面１３２によって順方向の回転力の一部が弾性片１２０を内側に押圧する力に転換されることができる。これにより、弾性片１２０がダイヤル１００の内側に屈曲されることにより、弾性片１２０の第３傾斜面１３２が容器部２００の第１傾斜面２３２に沿って越えることによって順方向に回転することができる。
【００４６】
これと反対に、ダイヤル１００が逆方向に回転しようとする場合、弾性片１２０の第４傾斜面１３４は容器部２００の第２傾斜面２３４と接することができる。第２傾斜面２３４及び第４傾斜面１３４は相対的に急な傾斜を有するから、第２傾斜面２３４と第４傾斜面１３４によって逆方向の回転力が弾性片１２０を内側に押圧する力に転換されなく、弾性片１２０の第４傾斜面１３４が容器部２００の第２傾斜面２３４に沿って越えることができないので、結果的に逆方向に回転することができなくなる。
【００４７】
特に、ダイヤル１００が順方向に回転する場合、使用者は弾性片１２０の弾性変形のために力を加えなければならないので回転負荷を感じることができ、弾性片１２０が弾性変形後に復元する過程でガイド溝２３０の第１傾斜面２３２とガイド突条１３０の第３傾斜面１３２が互いにぶつかって‘カチッ’という音を出すことになる。これにより、使用者は回転負荷と前記音によって回転作動を認知して調節することができるようになる。
【００４８】
一方、容器部２００のガイド溝２３０は少なくとも一つが形成され、ダイヤル１００（特に、ダイヤル１００の第１段差部１１０の下部領域）と直接的に接しない少なくとも一つの内側陷沒領域を含むことにより、ダイヤル１００の回転時に発生し得る摩擦を減少又は除去してダイヤル１００の回転を円滑にすることができる。
【００４９】
実施例によって、容器部２００の少なくとも一部は透明又は半透明素材から形成されることができる。これにより、使用者が容器部２００の内部のピストン４００の移動又は化粧料の残量を確認しながらダイヤル１００を操作することができる。
【００５０】
ピストンアーム３００は少なくとも一部がダイヤル１００の内側に配置され、ダイヤル１００の回転によって昇降することができる。具体的に、ダイヤル１００の下端部内周面に形成された第１ネジ部に対応する第２ネジ部がピストンアーム３００の外周面の少なくとも一部に形成されることにより、ダイヤル１００とピストンアーム３００は互いに螺合することができる。ここで、ダイヤル１００の回転時、ピストンアーム３００が一緒に回転せずに固定され、よってダイヤル１００の回転によってピストンアーム３００が昇降することができる。後でより詳細に説明するように、ピストンアーム３００のダイヤル１００に対する同期回転を防止するために、ピストンアーム３００の内側に移送管５００が挿入されることができる。
【００５１】
ピストン４００は容器部２００の内部に配置され、外周面が容器部２００の内面に密着し、内周面が移送管５００の外面に密着することができる。ピストン４００はピストンアーム３００の下部に結合し、ピストンアーム３００と一緒に昇降することができる。すなわち、ダイヤル１００の回転によってピストンアーム３００が下降すれば、ピストン４００が一緒に下降して、下側に収容された化粧料を押圧することができる。押圧された化粧料は移送管５００を通じて移動して外部に排出されることができる。ピストン４００は、容器部２００の内面及び移送管５００の外面との密着力を向上させるために、ゴム又はシリコンなどの弾性を有する素材から形成されることができる。ただ、これは例示的なものであり、本発明が適用される実施例によって多様な素材から形成されることができる。
【００５２】
移送管５００は容器部２００の内側に配置され、容器部２００の下側に収容された化粧料を上側に移送させるためのもので、移送管５００の内部には化粧料が移動することができるように移送流路５１０、移送管５００の外面の少なくとも一領域に形成された昇降ガイド部５２０及び移送管５００の上端部には形成される支持部５３０を含むことができる。
【００５３】
移送流路５１０は移送管５００の内部に容器部２００の長手方向に形成されて化粧料の移送経路を規定することができる。移送流路５１０は、下側に容器部２００に収容された化粧料が流入する第１連通孔５１２を備え、上側に化粧料が排出される第２連通孔５１４を備えることができる。移送流路５１０の第１連通孔は化粧料の吐出残量が残らないように容器部２００の底面又は底面に近くに形成されることができる。また、図示のように、移送管５００の下端は側方向に開口して、側方向に第１連通孔５１２を通じて化粧料が流入するようにすることができる。
【００５４】
昇降ガイド部５２０はピストンアーム３００の相対回転を防止し、ピストンアーム３００の昇降をガイドすることができる。すなわち、ダイヤル１００が回転してもピストンアーム３００が回転しないようにしてピストンアーム３００が昇降するようにすることができる。
【００５５】
具体的に、昇降ガイド部５２０は移送管５００の外面の一領域に長手方向に形成されることができ、外面の断面が非円形（ｎｏｎ−ｃｉｒｃｕｌａｒ）になるようにすることができる。これに対応して、ピストンアーム３００の内側には昇降ガイド部５２０が挿入可能な貫通部３１０が形成され、貫通部３１０も昇降ガイド部５２０と同様に非円形に形成されることができる。
【００５６】
このように、非円形に形成される貫通部３１０及び昇降ガイド部５２０によってピストンアーム３００と移送管５００が互いに相対回転しないようにすることができ（すなわち、ピストンアーム３００が移送管５００に対して同期回転するようにする）、よってピストンアーム３００はダイヤル１００の回転から回転が分離されることができる。さらに、ダイヤル１００が内側に挿入されたピストンアーム３００と螺合するとともに連結部６００と容器部２００によって上下移動が防止されるから、ダイヤル１００がピストンアーム３００を基準に昇降するものではなく、ダイヤル１００の回転によってピストンアーム３００が昇降ガイド部５２０に沿って昇降するようにすることができる。
【００５７】
すなわち、使用者が容器部２００を把持したままでダイヤル１００を回転させる場合、ダイヤル１００は上下移動が固定された状態で回転することになり、ダイヤル１００と螺合したピストンアーム３００は移送管５００の昇降ガイド部５２０によってダイヤル１００の回転から回転が分離されるので、ダイヤル１００の回転運動がピストンアーム３００の垂直運動に転換されてピストンアーム３００を昇降させることができる。
【００５８】
一方、ピストンアーム３００の貫通部３１０は昇降ガイド部５２０と同様に非円形に形成され、昇降ガイド部５２０と接する領域３１２及び昇降ガイド部５２０から離隔している領域３１４を含むことができる。これは、貫通部３１０内に配置される移送管５００との接触面を減少させることで、ピストンアーム３００がより円滑に昇降することができるようにするためである。
【００５９】
支持部５３０は移送管５００の上端（特に、第２連通孔５１４の上側）に形成されるもので、上側には吐出部７００と結合し、下側には連結部６００によって支持されることにより、移送管５００を化粧品容器１０００内に安定的に配置することができる。
【００６０】
具体的に、支持部５３０は、移送管５００が連結部６００の上端にかかるように、円周方向に突設される係止段５３２、係止段５３２の内側で移送流路５１０と連通するように凹形に陷沒して吐出調節部７２０を収容する収容部５３４、及び係止段５３２の上側に延設され、吐出ヘッド７１０の内部と結合する結合部５３６を含むことができる。
【００６１】
収容部５３４には、第２連通孔５１４と連通して化粧料が流入することができ、吐出調節部７２０が配置されて動作するのに十分な空間が形成されることができる。また、連結部６００の内側に移送管５００が配置され、移送管５００の揺れ又は離脱が発生しないように、収容部５３４は連結部６００の貫通孔に対応する外径を有することができる。また、結合部５３６は上側に突設されて吐出部７００の吐出ヘッド７１０の内面に密着し、円周方向に係合溝が形成され、吐出ヘッド７１０の内側面に形成される係合突起が係合されることができる。
【００６２】
連結部６００は、下側が容器部２００の上端と結合し、上側が吐出部７００と結合し、内側には移送管５００が挿入されて配置されることができる。
【００６３】
具体的に、連結部６００の外周面には円周方向に突出する係止段６１０が形成され、係止段６１０が容器部２００の上端にかかることができる。また、係止段６１０の底面の一領域には下側に伸びる結合部６２０が形成される。よって、係止段６１０が容器部２００の上端面に載置されれば、結合部６２０は容器部２００の上端内側に密着することができる。ここで、結合部６２０の外周面には少なくとも一つの係合突起が形成され、容器部２００の上端の内周面にはこれに対応する係合溝が形成され、係合突起が係合溝に係合されることによって連結部６００が容器部２００と結合されることができる。
【００６４】
このように、連結部６００が容器部２００の上端に結合されれば、結合部６２０の底面とダイヤル１００の上端面が接触又は近接することができる。すなわち、ダイヤル１００の上側が連結部６００によって支持され、前述したように、ダイヤル１００の下側が容器部２００によって支持されるようにすることにより、ダイヤル１００が上下に移動せず、容器部２００に対して安定的に相対回転することができる。
【００６５】
連結部６００の内側には上下に貫通孔が貫設されることができる。貫通孔を通じて移送管５００が内側に挿入されて配置されることができる。特に、移送管５００の少なくとも一部（すなわち、収容部５３４の外側）が貫通孔の内径と対応するようにすることにより、移送管５００が安定的に連結部６００にかかるようにすることができる。また、連結部６００の上側には、円周方向に沿って係合溝が形成されることができ、よって吐出ヘッド７１０が連結部６００に結合することができる。
【００６６】
連結部６００が移送管５００とは別個の構成として示されているが、これは例示的なものであるだけ、本発明が適用される実施例によって、連結部６００と移送管５００が単一構成に具現されることもできる。
【００６７】
吐出部７００は連結部６００の上端に配置され、ピストン４００の下降によって移送流路５１０に沿って移送された化粧料を吐き出すためのものであり、吐出ヘッド７１０及び吐出調節部７２０を含むことができる。
【００６８】
吐出ヘッド７１０は移送管５００と連通して化粧料が排出されるようにし、内側下端が連結部６００の上端と結合し、さらに内側上端が移送管５００と結合することができる。このために、吐出ヘッド７１０には、第２連通孔５１４と連通し、化粧料が移動する経路を提供する吐出路７１２が形成されることができる。
【００６９】
また、吐出ヘッド７１０の内側面には円周方向に二つの係合突起が突設されることができる。ここで、上側に位置する係合突起は支持部５３０の結合部５３６の係合溝と結合することができる。下側に位置する係合突起は連結部６００の上側に位置する係合溝と結合することができる。
【００７０】
吐出ヘッド７１０の内側底面には装着部７１４が形成されることができる。装着部７１４は吐出路７１２の外側一領域が陷沒して形成されるものであり、後でより詳細に説明するように、それに収容された吐出調節部７２０の弾性部材７２４を支持し、弾性部材７２４が弾性力を発生させる基準点として機能することができる。
【００７１】
吐出ヘッド７１０の上端には内側に収容空間７１６が陷沒して形成され、これに塗布部８００が収容及び配置されることができる。ただ、これは例示的なものであり、実施例によって、本発明に塗布部８００及び収容空間７１６が適用されないこともある。
【００７２】
吐出調節部７２０は吐出ヘッド７１０の内側に配置され、移送流路５１０の第２連通孔５１４を開閉して化粧料の吐出を調節することができる。具体的に、吐出調節部７２０は、ダイヤル１００の回転時に第２連通孔５１４を開放して、化粧料が吐出路７１２を通じて外部に吐き出されるようにすることができる。また、ダイヤル１００が回転しない場合、すなわち通常の保管状態では、第２連通孔５１４を密閉して化粧料が漏洩しないようにすることができる。
【００７３】
このために、吐出調節部７２０は、第２連通孔５１４より大きな内径を有し、ボール型に形成される開閉部材７２２、及び開閉部材７２２を押圧する弾性部材７２４を含むことができる。
【００７４】
弾性部材７２４は吐出路７１２の外側の装着部７１４に結合されて下側に弾性力を発揮することができる。よって、弾性部材７２４によって下方に押圧される開閉部材７２２は第２連通孔５１４を密閉させることができる。
【００７５】
また、ダイヤル１００が回転し、ピストン４００の下降によって化粧料が移送流路５１０に沿って上昇する場合、化粧料の排出圧力によって開閉部材７２２が上昇することにより、第２連通孔５１４が開放し、化粧料が吐出路７１２に移動するようにすることができ、ダイヤル１００が回転を止めれば、再び開閉部材７２２は弾性部材７２４によって押圧されて第２連通孔５１４を密閉することができる。これにより、ダイヤル１００に回転力が印加されない場合には化粧料が漏洩することを防止することができる。
【００７６】
一方、開閉部材７２２が第２連通孔５１４の上部に配置されて第２連通孔５１４を密閉している状態で、使用者がダイヤル１００を逆方向に回転しようとする場合、ピストン４００が上昇することによって移送管５００の収容空間の内部に負圧が発生してダイヤル１００の逆方向回転を難しくすることができる。逆方向回転時にもっと強い抵抗が発生するからである。また、ダイヤル１００が逆方向に回転してピストン４００が所定の長さだけ上昇しても、負圧が解消される過程で再び順方向回転が発生してピストン４００が下降することができる。
【００７７】
塗布部８００は使用者の皮膚に接触し、吐出路７１２を通じて吐き出された化粧料を皮膚に塗布することができる。塗布部８００は、図９に示したように、ボール（ｂａｌｌ）型に形成されることができる。ここで、吐出ヘッド７１０の上部には塗布部８００に対応する形状の収容空間７１６が形成されることができ、塗布部８００は収容空間７１６の内側に収容され、塗布部８００の少なくとも一部が外部に露出されることができる。また、吐出ヘッド７１０の吐出路７１２は収容空間７１６の少なくとも一部を貫くように形成され、吐出路７１２を通じて吐き出された化粧料が塗布部８００に供給されるようにすることができる。
【００７８】
具体的に、塗布部８００の中心線から所定の高さに相当する部分まで収容空間７１６の内側に収容されることができる。これにより、塗布部８００の一部が外部に露出されるが収容空間７１６の外側に離脱することができないようにすることができる。
【００７９】
特に、塗布部８００は収容空間７１６の内側面から所定の間隔で離隔することができ、よって塗布部８００が収容空間７１６の内側で回転することによって化粧料が皮膚に円滑に塗布されることができる。
【００８０】
図９にはボール型の塗布部８００が示されているが、本発明が適用される実施例によって多様な塗布部の構成が適用されることができる。例えば、ブラシ型の塗布部が適用されることができる。また、実施例によって、本発明の化粧品容器には塗布部が適用されないこともある。
【００８１】
カバー部９００は吐出部７００及び塗布部８００を密閉するためのものであり、吐出部７００、特に吐出ヘッド７１０に対して着脱可能に結合されることができる。このような結合のために、多様な構成がカバー部９００及び吐出ヘッド７１０に適用されることができる。例えば、カバー部９００の下端内側面と吐出ヘッド７１０の下端外側面に互いに対応するネジ部が形成され、螺合によってカバー部９００が吐出ヘッド７１０と結合することができる。また、例えば、カバー部９００の下端内側面には円周方向に係合溝が形成されることができ、吐出ヘッド７１０の下端外側面にもカバー部９００の係合溝に対応して係合突起が形成されることにより、カバー部９００が吐出ヘッド７１０に嵌合されることができる。
【００８２】
図１０は発明の一実施例による化粧品容器の動作を示す。
【００８３】
図１０を参照すると、容器部２００に化粧料を収容した化粧品容器１０００のカバー部９００を除去した状態で、使用者が容器部２００の下端を把持した後（すなわち、容器部２００が回転しないようにした後）、指でダイヤル１００を順方向に回転させれば、ダイヤル１００の回転によってピストンアーム３００及びピストン４００が容器部２００内に下降することができる。
【００８４】
具体的に、移送管５００の昇降ガイド部５２０によってピストンアーム３００はダイヤル１００の回転から回転が分離され、よってダイヤル１００の回転はダイヤル１００と螺合したピストンアーム３００を回転なしに下降させることができる。これにより、ピストン４００が下降しながら化粧料を下方に押圧し、化粧料が移送管５００の移送流路５１０に沿って上側に移送され、上昇する化粧料の排出圧力によって吐出調節部７２０の開閉部材７２２が第２連通孔５１４を開放することにより、吐出部７００を通じて吐き出されることができる。
【００８５】
このとき、ダイヤル１００の弾性片１２０及びガイド突条１３０と容器部２００のガイド溝２３０はダイヤル１００の回転方向を制御することができる。すなわち、ダイヤル１００が順方向にだけ回転することができるようにしながらも逆方向回転を防止することにより、ピストン４００が上昇して、吐き出された化粧料及び／又は移送流路５１０に収容された化粧料が再び容器部２００内に流入するとか、あるいは容器部２００及び移送管５００の内部に空気が流入するとか負圧が発生することを防止することができる。
図１１は本発明の一実施例による化粧品容器を示す。
【００８６】
ここで、図１１の（ａ）は化粧品容器の正面図、図１１の（ｂ）は化粧品容器の断面図を示す。
【００８７】
図１１の化粧品容器１０００’の説明は図１〜図１０の化粧品容器１０００と同様であり、以下で重複する説明は省略する。
【００８８】
図１１を参照すると、ダイヤル１００’は容器部２００’の上側に備えられるが、容器部２００’には開放部が形成されていない。したがって、ダイヤル１００’は容器部２００’の上側端部に相対回転可能に配置されることができる。
【００８９】
具体的に、ダイヤル１００’は、少なくとも一部が容器部２００’の内側に挿入され、外周面に形成された第１段差部１１０’が容器部２００’の上側端面にかかることによって容器部２００’の上端に配置されることができる。ここで、ダイヤル１００’と容器部２００’間の回転可能な結合のために、図１１には図示されていないが、ダイヤル１００’（特に、第１段差部の下側）の外周面には円周方向に締結突条が突設されることができ、これに対応して容器部２００’の内側には締結溝が陷沒して形成されることができる。ダイヤル１００’の締結突条が容器部２００’の締結溝に挿入されることにより、ダイヤル１００’が容器部２００’から離脱することを防止することができ、さらに、このような締結突条及び締結溝が円周方向に形成されることにより、ダイヤル１００’の容器部２００’に対して相対回転が可能である。
【００９０】
また、連結部６００’は下側が容器部２００’の上端に結合するものではなく、ダイヤル１００’の上端に結合することができる。具体的に、連結部６００’の係止段６１０’がダイヤル１００’の上端面にかかり、連結部６００’の結合部６２０’がダイヤル１００’の上端内側に密着することができる。ここで、結合部６２０’の外周面には少なくとも一つの係合突起が形成され、ダイヤル１００’の上端の内周面にはこれに対応する係合溝が形成され、係合突起が係合溝に挿入されることにより、連結部６００’がダイヤル１００’に結合することができる。
【００９１】
以上で図面及び明細書に基づいて最良の実施例を開示した。ここで、特定の用語を使ったが、これはただ本発明を説明する目的で使ったものであり、意味を限定したり特許請求範囲に記載された本発明の範囲を制限するために使ったものではない。したがって、当該技術分野の通常の知識を有する者であればこれからの多様な変形及び均等な他の実施例が可能であるという点を理解することが可能であろう。したがって、本発明の真正な技術的保護範囲は添付の特許請求範囲の技術的思想によって決定されなければならないであろう。
【符号の説明】
【００９２】
１００、１００’    ダイヤル
１１０、１１０’    第１段差部
１２０    弾性片
１３０    ガイド突条
２００、２００’    容器部
２１０    開放部
２２０    第２段差部
２３０    ガイド溝
３００    ピストンアーム
３１０    貫通部
４００    ピストン
５００    移送管
５１０    移送流路
５２０    昇降ガイド部
５３０    支持部
６００、６００’    連結部
６１０、６１０’    係止段
６２０、６２０’    結合部
７００    吐出部
７１０    吐出ヘッド
７２０    吐出調節部
８００    塗布部
９００    カバー部
１０００、１０００’化粧品容器
【図１】
2020069367.tif 000003
【図２】
2020069367.tif 000004
【図３】
2020069367.tif 000005
【図４】
2020069367.tif 000006
【図５】
2020069367.tif 000007
【図６】
2020069367.tif 000008
【図７】
2020069367.tif 000009
【図８】
2020069367.tif 000010
【図９】
2020069367.tif 000011
【図１０】
2020069367.tif 000012
【図１１】
2020069367.tif 000013